(57)【特許請求の範囲】
【請求項１】
内部に貯蔵室を画成すると共に、上面に開口を有する断熱箱体と、この断熱箱体の上面開口を開閉自在に閉塞するスライド式の上面扉と、この上面扉の下面の前後に設けられた戸車と、この戸車が転動する平坦面を有すると共に、前記戸車の左右の動きを規制する側壁を設けてＬ字状に形成されたレールとを備え、このレールは前記上面扉が上面開口閉塞位置では前記上面扉を水平に、この上面扉が上面開口閉鎖位置以外では前記上面扉の後方が前方より上方になるように傾斜させると共に、前記Ｌ字状のレールの戸車の転動する平坦面にこの戸車の嵌合する凹部を前後に設け、上面扉を後方に移動させて開放したときに後方の凹部に前記上面扉の前方の戸車を嵌合させることを特徴とする冷却貯蔵庫。
【発明の詳細な説明】
【０００１】
【発明の属する技術分野】
本発明は、アンダーカウンタータイプの冷却貯蔵庫に関する。
【０００２】
【従来の技術】
従来のこの種の冷却貯蔵庫は、前面及び上面に開口を有し、この前面開口を開閉自在に閉塞する断熱材にて形成された前面扉を備える第１断熱箱体と、この第１断熱箱体にて画成される第１貯蔵室と、この第１貯蔵室と連通する冷却室を画成し、前記第１断熱箱体の上に設けられた第２断熱枠体と、この第２断熱枠体内に所定間隔を存して設けられ、内部を第２貯蔵室とし、上面が開口した収納容器と、この収納容器の上面開口を開閉自在に閉塞する断熱材にて形成された第２貯蔵室扉とを備え、前記収納容器が前記第１断熱箱体の上面開口内に位置するように構成されている（特開平９−３０３９３２号公報参照）。
【０００３】
そして、このような上面に開口１０１を有する冷却貯蔵庫１００には、図９及び図１０に示すような上面扉１０２が設けられており、水平方向にスライド移動することで上面開口１０１を開閉している。
【０００４】
上面扉１０２には、左右端部にスライドピース１０３が設けられ、このスライドピース１０３が、前記開口１０１に形成されたプレート１０４上を摺動することでスライド自在となっている。
【０００５】
【発明が解決しようとする課題】
上述したような従来技術の冷却貯蔵庫では、上面扉が水平方向にスライド移動するものであるため、上面扉を開放して収納品を取り出した後は、手で閉めなければならない。従って、業務用などの大量の収納品を扱う場合、極めて収納品の取り出し作業性が悪いものであった。
【０００６】
本発明は上述した問題点に鑑みてなされたもので、自動的に閉塞する上面扉を設けることにより、収納品の取り出し作業性の向上を図ることを目的とした冷却貯蔵庫を提供する。
【０００７】
【課題を解決するための手段】
本発明の冷却貯蔵庫は、内部に貯蔵室を画成すると共に、上面に開口を有する断熱箱体と、この断熱箱体の上面開口を開閉自在に閉塞するスライド式の上面扉と、この上面扉の下面の前後に設けられた戸車と、この戸車が転動する平坦面を有すると共に、前記戸車の左右の動きを規制する側壁を設けてＬ字状に形成されたレールとを備え、このレールは前記上面扉が上面開口閉塞位置では前記上面扉を水平に、この上面扉が上面開口閉鎖位置以外では前記上面扉の後方が前方より上方になるように傾斜させると共に、前記Ｌ字状のレールの戸車の転動する平坦面にこの戸車の嵌合する凹部を前後に設け、上面扉を後方に移動させて開放したときに後方の凹部に前記上面扉の前方の戸車を嵌合させるものである。
【０００８】
本発明によれば、内部に貯蔵室を画成すると共に、上面に開口を有する断熱箱体と、この断熱箱体の上面開口を開閉自在に閉塞するスライド式の上面扉と、この上面扉の下面の前後に設けられた戸車と、この戸車が転動する平坦面を有すると共に、前記戸車の左右の動きを規制する側壁を設けてＬ字状に形成されたレールとを備え、このレールを、前記上面扉が上面開口閉塞位置では前記上面扉を水平に、この上面扉が上面開口閉鎖位置以外では前記上面扉の後方が前方より上方になるように傾斜させたので、上面扉の戸車がレールの平坦面上を転動することでスライド自在とし、しかも、上面扉の開放位置側でレールが傾斜しており、前記上面扉が自重で閉塞するようにすると共に、前記レールの清掃をしやすくし、かつ、Ｌ字状のレールの側壁で戸車の左右を規制でき、自動閉塞時に上面扉がレールから外れるのを防止できる。
【０００９】
また、前記レールの平坦面に設けた凹部の少なくとも前後の一方に曲面部を形成したので、前記凹部に嵌め合わされた戸車がスムースにスライドできる。
【００１０】
更に、前記戸車の嵌合する凹部を前後に設け、上面扉を後方に移動させて開放したときに後方の凹部に前記上面扉の前方の戸車を嵌合させたので、上面開放位置で上面扉を係止できる。
【００１４】
【発明の実施の形態】
以下、本発明の実施の形態を図面に基づいて説明する。図１は本発明の冷却貯蔵庫の斜視図、図２は本発明の冷却貯蔵庫の上面扉閉塞時の要部断面図、図３は本発明の冷却貯蔵庫の上面扉開放時の要部断面図、図４は本発明の上面扉の断面図、図５は本発明の上面扉とレールとを示す分解斜視図、図６は本発明のレールの側面図、図７は本発明の上面扉を全開したときの係止状態を示す要部拡大断面図である。
【００１５】
図１乃至図３に示す１は冷却貯蔵庫で、前面及び上面に開口２、３が形成され、内部に貯蔵室４を画成する断熱箱体５と、この断熱箱体の前面開口２を開閉自在に閉塞し、断熱材にて形成されたスイング式の前面扉６と、上面開口３を開閉自在に閉塞し、断熱材にて形成されたスライド式の上面扉７とを備えている。上面開口３は冷却貯蔵庫１の前側に設けられており、後側には上面扉７を収納する収納部８が設けられている。
【００１６】
断熱箱体５内には、仕切板９にて前記貯蔵室４と仕切られ、内部に冷却器１０と冷気循環ファン１１等を備える冷却室１２が形成されている。そして、冷却貯蔵庫１の後下部であって、前記断熱箱体５外には、図示しないが凝縮器、凝縮器用冷却ファン、圧縮機等を備えた機械室が形成されており、この機械室の凝縮器と圧縮機、及び冷却室１２の冷却器１０とで冷凍サイクルを構成している。
【００１７】
また、前記貯蔵室４の上部には、移動棚１３を備える引き出し装置１４が設けられており、この移動棚には段ボールＳに入った食品などが載置されている。
【００１８】
以上のような構成において、本発明の上面扉７について図２乃至図５を参照して説明する。
【００１９】
上面扉７は、鋼板にて下方を開口して箱状に形成された外装箱７Ａと、この外装箱の開口を閉塞する硬質樹脂製の内装板７Ｂと、これら外装箱と内装板とで形成された空間内に充填された発泡性断熱材７Ｃとで形成されている。
【００２０】
また、上面扉７の下面の四隅には戸車１５が埋設して取り付けられており、この戸車の下部が、内装板７Ｂより下方に突出している。戸車１５のローラ部１５Ａはレール１６との接触面が平面状に形成されている。
【００２１】
レール１６は、戸車１５のローラ部１５Ａが転動する平坦なレール部１７と、ローラ部１５Ａの横方向の動きを規制するこのローラ部の外側に設けた側壁で形成されたガイド部１８とでＬ字状に形成され、左右一対に設けられている。レール１６は水平に配置された前レール１６Ａと後方が高くなるように傾斜した後レール１６Ｂとで構成され、前レール１６Ａは上面扉７の前後の戸車１５の間隔より長く形成され、後レール１６Ｂは上面扉７の前後の戸車１５の間隔より短く形成されている。
【００２２】
前レール１６Ａのレール部１７には、前後に凹部１７Ａ、１７Ｂが形成され、上面扉７を上面の開口３を閉塞する位置で、この上面扉の戸車１５が凹部１７Ａ、１７Ｂにはまり込むようにされ、上面扉７のスライド移動を規制するようにしている。
【００２３】
図６に示すように、前レール１６Ａの前後の凹部１７Ａ、１７Ｂの後方には平坦なレール部１７との段差を埋める曲面部１９が設けられ、後方の凹部１７Ｂの前方には傾斜した平面部２０が設けられている。
【００２４】
上面扉７の下面には、断熱箱体５の上面の開口３の開口縁に当接するパッキン２１が戸車１５の内側に設けられ、このパッキンは軟質樹脂の押し出し成形により形成され、上面扉７が上面の開口３を閉塞する位置でレール部１７の前後の凹部１７Ａ、１７Ｂにはまり込んだときに断熱箱体５の開口縁に接触し、その他のレール部１７では断熱箱体５に接触しないようにされている。
【００２５】
２２は後レール１６Ｂの後方に設けられて上面扉７の開放時の後方への移動を制限する制限部材で、この制限部材の前面には上面扉７を全開したときにこの上面扉の前方の戸車１５が前レール１６Ａのレール部１７の後方の凹部１７Ｂの手前で上面扉７の後方への移動を規制するストッパ２３が設けられている。
【００２６】
このように構成された冷却貯蔵庫において、上面扉７の開閉動作について説明する。
【００２７】
先ず、図２の上面扉７の上面の開口３の閉塞位置では、上面扉７の戸車１５が水平な前レール１６Ａの前後の凹部１７Ａ、１７Ｂにはまり込んでおり、パッキン２１が断熱箱体５の上面の開口３の開口縁に接触して貯蔵室４内の冷気が漏れないようにシールしている。
【００２８】
この状態から前記上面扉７の前側の縁をもって、後方に押してやると、戸車１５が前後の凹部１７Ａ、１７Ｂの後方の曲面部１９を乗り越えてこの凹部から離脱し、パッキン２７が開口３の開口縁から離れる。この状態では、上面扉７の前側の戸車１５は水平な前レール１６Ａ上であるが、後側の戸車１５は傾斜した後レール１６Ｂに若干かかっている。
【００２９】
そのまま、上面扉７を後方に押してやることで、図３に示す如く、上面扉７は傾斜した後レール１６Ｂを昇り、収納部８内に収納される。この収納部内で上面扉７は制限部材２２の前面に設けられたストッパ２３で規制され、前側の戸車１５が前レール１６Ａの後方に凹部１７Ｂの手前で係止し、上面扉７から手を離すことでこの上面扉が自重で前側に戸車１５が転動して上面の開口を自動閉塞するようにしている。
【００３０】
レール１６は戸車１５のローラ部１５Ａが転動する平坦なレール部１７と
この戸車のローラ部の左右への動きを規制するガイド部１８とでＬ字状に形成することにより、上面扉７の戸車１５をレール部１７の載せるだけで取り付けられると共に、レール部１７に凸状の軌道がないので、このレール部の清掃を容易にできるようにしている。
【００３１】
また、レール１６は前レール１６Ａを水平に、後レール１６Ｂを後方が高くなるように傾斜させることにより、上面扉７を上面開口３の閉塞位置で水平にし、閉塞位置以外で後方が高くなるように傾斜させ、閉塞時には上面扉７が開かないようにすると共に、開放時に上面扉７が自重で閉まるようにしている。
【００３２】
上面扉７は戸車１５のローラ部１５Ａを前後の凹部１７Ａ、１７Ｂにはまり込ませたときに上面の開口３を閉塞させることにより、冷却貯蔵庫１が若干傾いて設置されていても閉塞時に上面扉７が勝手に開いてしまうのを防止できるようにしている。
【００３３】
上面扉７の下面に設けられたパッキン２１は戸車１５のローラ部１５Ａが前後の凹部１７Ａ、１７Ｂにはまり込んでいるときに断熱箱体５の開口縁に接触し、平坦なレール部１７上にあるときに断熱箱体５に接触しないようにすることにより、上面扉７がスライドしているときにパッキン２１が接触して磨耗しないようにされている。
【００３４】
図８は他の実施の形態を示し、後レール部１６Ｂの後方に設けた上面扉７の後方への移動を制限する制限部材２２の前面からストッパを外したもので、このストッパを取り除いた分、上面扉７が後方に移動でき、この上面扉の前側の戸車１５のローラ部１５Ａが前レール１６Ａの後方の凹部１７Ｂにはまり込んで全開時に上面扉７を係止し、この上面扉を全開状態に保持できるようにしている。また、上面扉７の前側の戸車１５のローラ部１５Ａは後方の凹部１７Ｂの前方の傾斜した平坦面２０に全開時にはまり込んで接触することにより、上面扉７を全開状態で保持できるようにされている。そして、上面扉７を開放して貯蔵室４の食品を取り出した後、上面扉７の前側の戸車１５を後方の凹部１７Ｂから離脱するだけ前方に引きだしてやれば、上面扉７は自動的に閉塞し、食品の取り出し作業性を向上させることができるようにされている。
【００３５】
すなわち、上面扉７は制限部材２２の前面のストッパ２３の有無によって全開時に止められたり、全開時に係止されず自重で転動して開口３を自動閉塞できるようにしたりしている。
【００３６】
【発明の効果】
本発明によれば、内部に貯蔵室を画成すると共に、上面に開口を有する断熱箱体と、この断熱箱体の上面開口を開閉自在に閉塞するスライド式の上面扉と、この上面扉の下面の前後に設けられた戸車と、この戸車が転動する平坦面を有すると共に、前記戸車の左右の動きを規制する側壁を設けてＬ字状に形成されたレールとを備え、このレールを、前記上面扉が上面開口閉塞位置では前記上面扉を水平に、この上面扉が上面開口閉鎖位置以外では前記上面扉の後方が前方より上方になるように傾斜させたので、上面扉の戸車がレールの平坦面上を転動することでスライド自在とし、しかも、上面扉の開放位置側でレールが傾斜しており、前記上面扉が自重で閉塞するようにすると共に、前記レールの清掃をしやすくし、かつ、Ｌ字状のレールの側壁で戸車の左右を規制でき、自動閉塞時に上面扉がレールから外れるのを防止できる。
【００３７】
また、前記戸車の嵌合する凹部を上面扉の上面開口閉塞位置に設けたので、前記上面扉が上面開口閉塞位置で移動しにくくすると共に、断熱箱体と上面扉との上下の間隔を狭くしてシール性を向上でき、貯蔵室内の冷気の漏れを防止できる。
【００３８】
更に、前記戸車の嵌合する凹部を前後に設け、上面扉を後方に移動させて開放したときに後方の凹部に前記上面扉の前方の戸車を嵌合させたので、上面開放位置で上面扉を係止できる。
【図面の簡単な説明】
【図１】本発明の冷却貯蔵庫の斜視図である。
【図２】本発明の冷却貯蔵庫の上面扉閉塞時の要部断面図である。
【図３】本発明の冷却貯蔵庫の上面扉開放時の要部断面図である。
【図４】本発明の上面扉の断面図である。
【図５】本発明の上面扉とレールとを示す分解斜視図である。
【図６】本発明のレールの側面図である。
【図７】本発明の上面扉を全開したときの係止状態を示す要部拡大断面図である。
【図８】本発明の他の実施例で上面扉を全開したときに係止されない状態を示す要部拡大断面図である。
【図９】従来の冷却貯蔵庫の縦側断面図である。
【図１０】従来の上面扉の断面図である。
【符号の説明】
Ｓ  食品
１  冷却貯蔵庫
３  上面開口
４  貯蔵室
７  上面扉
１５  戸車
１６  レール
１６Ａ  前レール
１６Ｂ  後レール
１７  レール部
１７Ａ  前方の凹部
１７Ｂ  後方の凹部
１８  ガイド部
１９  曲面部
２１  パッキン
【図１】
0004144999.tif 000002
【図２】
0004144999.tif 000003
【図３】
0004144999.tif 000004
【図４】
0004144999.tif 000005
【図５】
0004144999.tif 000006
【図６】
0004144999.tif 000007
【図７】
0004144999.tif 000008
【図８】
0004144999.tif 000009
【図９】
0004144999.tif 000010
【図１０】
0004144999.tif 000011